(57)【要約】【課題】画像処理装置内で蓄積管理されたファイルに対する一括出力処理を容易に行うこと、および一括出力処理の進捗状況を表示すること。【解決手段】本発明は、ファイルを格納する記憶部１２と、記憶部１２に格納されたファイルに対する出力処理を行う画像形成部１３と、記憶部１２に格納されるファイルのうち、画像形成部１３により同じ出力条件で一括して出力処理するための特定の複数のファイルを選択させる画面を表示する操作部１４とを備えている。また、操作部１４によって、特定の複数のファイルを出力手段により一括して出力処理している進捗状況を示すものでもある。【選択図】図１
2005341343.tif 000002
【特許請求の範囲】
【請求項１】
ファイルを格納する記憶手段と、
前記記憶手段に格納された前記ファイルに対する出力処理を行う出力手段と、
前記記憶手段に格納されるファイルのうち、前記出力手段により同じ出力条件で一括して出力処理するための特定の複数のファイルを選択させる画面を表示する画面表示制御手段と
を備えることを特徴とする画像処理装置。
【請求項２】
前記画面表示制御手段は、前記特定の複数のファイルを前記出力手段により一括して出力処理している進捗状況を示す画面を表示する
ことを特徴とする請求項１記載の画像処理装置。
【請求項３】
前記出力手段による前記出力条件としては、前記特定の複数のファイルを用紙に印刷してステープル処理する条件を含む
ことを特徴とする請求項１記載の画像処理装置。
【請求項４】
前記出力手段による前記出力条件としては、前記特定の複数のファイルを用紙に印刷して穴開け処理を行う条件を含む
ことを特徴とする請求項１記載の画像処理装置。
【請求項５】
前記出力手段による前記出力条件としては、前記特定の複数のファイルを用紙に印刷する際、各用紙に連続したページ番号を付する処理を行う条件を含む
ことを特徴とする請求項１記載の画像処理装置。
【請求項６】
ファイルを格納する記憶手段と、
前記記憶手段に格納された前記ファイルに対する出力処理を行う出力手段と、
前記記憶手段に格納されるファイルのうち、特定の複数のファイルを選択させる画面を表示するとともに、選択された前記特定の複数のファイルに対して前記出力手段により同じ出力条件で一括して出力処理するか、別個の出力条件で各々出力処理するかを選択させる画面を表示する画面表示制御手段と
を備えることを特徴とする画像処理装置。
【請求項７】
記憶手段に格納されたファイルに対する出力処理を行う画像処理方法において、
前記記憶手段に格納されたファイルのうち、同じ出力条件で一括して出力処理するための特定の複数のファイルを選択させる画面を表示する処理を行う
ことを特徴とする画像処理方法。
【請求項８】
前記特定の複数のファイルに対する同じ出力条件での一括した出力処理が行われている間、前記出力処理の進捗状況を示す画面を表示する処理を行う
ことを特徴とする請求項７記載の画像処理方法。
【請求項９】
前記出力条件としては、前記特定の複数のファイルを用紙に印刷してステープル処理する条件を含む
ことを特徴とする請求項７記載の画像処理方法。
【請求項１０】
前記出力条件としては、前記特定の複数のファイルを用紙に印刷して穴開け処理を行う条件を含む
ことを特徴とする請求項７記載の画像処理方法。
【請求項１１】
前記出力条件としては、前記特定の複数のファイルを用紙に印刷する際、各用紙に連続したページ番号を付する処理を行う条件を含む
ことを特徴とする請求項７記載の画像処理方法。
【請求項１２】
記憶手段に格納されたファイルに対する出力処理を行う画像処理方法において、
前記記憶手段に格納されたファイルのうち、特定の複数のファイルを選択させる画面を表示するとともに、選択された前記特定の複数のファイルに対して同じ出力条件で一括して出力処理するか、別個の出力条件で各々出力処理するかを選択させる画面を表示する処理を行う
ことを特徴とする画像処理方法。
【発明の詳細な説明】
【技術分野】
【０００１】
本発明は、記憶手段に格納された複数のファイルに対して同じ出力条件で一括した出力処理を実現する画像処理装置および画像処理方法に関する。
【背景技術】
【０００２】
従来、異なる複数の電子文書をまとめてプリントする場合、パーソナルコンピュータ等で実行されるアプリケーションやプリンタドライバの機能を用いて文書の統合を行うという方法が取られている（例えば、特許文献１参照。）。これにより、元の文書の並びではつながりの無い内容であっても統合した状態でソート機能や両面印刷機能やステープル機能などを用いる事でまとまりのある文書となり、ユーザの印刷文書作成作業を軽減する事ができる。しかし、この場合、ユーザは統合する文書を同時に画像形成装置に送信する必要がある。
【０００３】
一方、画像形成装置においては、電子文書を装置内の記憶装置に蓄積管理し、蓄積した文書に対してプリント出力する方法が取られている。この画像形成装置内の文書管理機能を用いる方法として、例えば、個人管理の親展ボックスを開設し、この親展ボックスに対して複数の相手や、異なる時間にファクス受信をした場合に、親展ボックスのオーナがそれら受信文書をまとめてプリントするという使われ方がある。
【０００４】
また、例えば、個人管理のボックスに対して、パーソナルコンピュータ等の端末装置から必要に応じて文書を送信して個人管理ボックスに蓄積し、オーナは任意のタイミングで必要な文書を選択してプリントするといった利用が考えられる。
【０００５】
【特許文献１】特開平８−２７８８６５号公報
【発明の開示】
【発明が解決しようとする課題】
【０００６】
ここで、画像形成装置内の記憶装置に蓄積管理された文書は統合されていないので、同じユーザが所持している文書であっても、別々の文書として存在している。よって、これらの文書を出力する時には、前述のような文書統合された状態で、ソート機能や両面印刷機能やステープル機能などを用いることができない。
【０００７】
また、個人管理のボックスに対して、パーソナルコンピュータ等の端末装置から文書を送信する際に予め文書統合をした場合においては、出力時に、文書統合された状態でソート機能や両面印刷機能やステープル機能などを用いることはできるが、統合を解除し、特定文書のみを出力することができないという問題がある。
【０００８】
一方、処理状態の表示として、画像形成装置の文書処理状態を画面に一覧表示したり、特定の処理の詳細情報を表示する方法が取られている。同時選択された文書（未統合）を処理している状態は、起動ユーザは同じであっても別処理であるために、一覧表示であれば複数のジョブとして文書単位で表示され、詳細表示であれば特定の文書の処理のみを表示することになるため、同時選択（統合）された文書処理全体の進捗や、統合された文書のうちの特定の文書に対する進捗の把握ができないという問題がある。これらの問題はプリントだけではく、ファクス送信や外部転送などの出力処理においても同様な問題となっている。
【課題を解決するための手段】
【０００９】
本発明はこのような課題を解決するために成されたものである。すなわち、本発明の画像処理装置は、ファイルを格納する記憶手段と、記憶手段に格納されたファイルに対する出力処理を行う出力手段と、記憶手段に格納されるファイルのうち、出力手段により同じ出力条件で一括して出力処理するための特定の複数のファイルを選択させる画面を表示する画面表示制御手段とを備えている。また、画面表示制御手段によって、特定の複数のファイルを出力手段により一括して出力処理している進捗状況を示すものでもある。
【００１０】
また、本発明は、記憶手段に格納されたファイルに対する出力処理を行う画像処理方法において、記憶手段に格納されたファイルのうち、同じ出力条件で一括して出力処理するための特定の複数のファイルを選択させる画面を表示する処理を行う画像処理方法である。また、特定の複数のファイルに対する同じ出力条件での一括した出力処理が行われている間、出力処理の進捗状況を示す画面を表示する処理を行う方法でもある。
【００１１】
このような本発明では、記憶手段に格納されているファイルのうち、同じ出力条件で一括して出力処理するための特定の複数のファイルを画面表示に基づき選択でき、別々に格納されたファイルであっても統合して一括出力処理を容易に行うことができる。また、一括出力処理を行っている間の進捗状況を画面で把握できるため、一括出力処理の対象となっているファイル全体の処理の進捗とともに、ファイル全体のうちの特定のファイルに対する処理の進捗も把握できるようになる。
【発明の効果】
【００１２】
したがって、本発明によれば、画像処理装置本体内に蓄積された複数のファイルを統合して処理することが可能となる。また、統合して出力処理を指示した際の処理全体の進捗を画面で確認できるとともに、統合したファイルを構成する各ファイル毎の進捗状況も適宜確認でき、個々のファイル毎に任意の機能を有効とすることも可能となる。
【発明を実施するための最良の形態】
【００１３】
以下、本発明の実施形態を図に基づき説明する。図１は、本実施形態に係る画像処理装置のシステム構成を説明する模式図である。すなわち、この画像処理装置１は、主として複写機や複合機といった画像に対する出力処理を実現できる装置であり、ネットワークＮを介してパーソナルコンピュータやサーバ装置、またはプリンタ等の画像出力装置から成る外部端末装置２Ａ〜２Ｃと接続されている。また、画像処理装置１は、必要に応じて公衆回線Ｓを介して外部のファクシミリ装置や複合機等から成る外部通信装置３と接続されている。
【００１４】
画像処理装置１内は、画像読み取り部１１、画像形成部１３、文書を蓄積管理する記憶部１２およびユーザ操作を受け付ける操作部１４を有する。ここで、画像読み取り部１１は、スキャナ装置によって原稿画像を読み取る処理や、ネットワークＮを介して外部端末装置２Ａ〜２Ｃより送られるファイルを読み取る処理を行うものとする。
【００１５】
図２は、画像処理装置のシステム構成図である。画像処理装置のシステム構成としては、図１に示す画像読み取り部１１に対応した画像入力部１０２、記憶部１２に対応したData保持部１０３、画像形成部１３に対応した画像出力部１０５、操作部１４に対応した操作／表示部１０１を備えており、さらに画像等のファイルに対する画像処理を実行するData処理部１０４と、各部を制御する処理コントロール部１００とを備えている。
【００１６】
次に、このような構成から成る画像処理装置の動作を説明する。
（蓄積動作）
１．画像処理装置１の画像読み取り部１１から原稿画像をスキャナで読み取り、記憶部１２に保持する。
２．画像処理装置１とネットワーク接続された外部端末装置２Ａ〜２Ｃより端末装置内の電子文書を受信し、記憶部１２に保持する。
３．画像処理装置１と公衆回線接続された外部通信端末３から端末装置内の電子文書を受信し、記憶部１２に保持する。
【００１７】
（ファイル処理動作）
１．記憶部１２に保持しているファイルの一覧を、操作部１４のモニタに表示する。
２．操作部１４にて設定したパラメータに応じて、画像形成部１３にてファイルの印刷出力等の処理を行う。
３．ネットワーク接続されたサーバ装置等の外部端末装置２Ａ〜２Ｃにファイルを転送する。
４．公衆回線接続された外部通信端末３へファイルを送信する。
【００１８】
上記の動作を図２に示すシステム構成図の各部の動作と対応させると以下のようになる。
（蓄積動作）
ユーザからの蓄積指示が操作／表示部１０１を通して処理コントロール部１００に通知されると、処理コントロール部１００は、画像入力部１０２に対してファイルの読み込みを指示する。処理コントロール部１００は、読み込まれた画像をData保持部１０３に格納する。
【００１９】
（ファイル処理動作）
ユーザからの出力指示が操作／表示部１０１を通して処理コントロール部１００に通知されると、処理コントロール部１００は、Data保持部１０３からファイルである画像Dataを取得する。処理コントロール部１００は、取得した画像Dataの処理をData処理部１０４に指示する。処理コントロール部１００は、処理された画像Dataを画像出力部１０５へ渡し、画像出力を指示する。
【００２０】
このような動作を行う画像処理装置１において、本実施形態では記憶部１２（Data保持部１０３）に格納されたファイルのうち、画像形成部１３（画像出力部１０５）により同じ出力条件で一括して出力処理するための複数のファイルをユーザに選択させる画面を操作部１４（操作／表示部１０１）のモニタに画面表示する処理を行う。これにより、ユーザは、記憶部１２に別々に格納されたファイルについて、画像処理装置１の操作／表示部１０１に画面表示された内容に沿って統合する特定の複数のファイルを選択し、出力条件を指定することで複数のファイルを同じ出力条件で一括して処理させることが可能となる。
【００２１】
また、この一括した出力処理を行っている間、操作／表示部１０１には出力処理の進捗状況がモニタに表示される。このモニタの表示を参照することで、ユーザは一括した出力処理の全体の進み具合のほか、一括処理の対象となっている個々のファイルに対する出力処理の進み具合を把握できるようになる。
【００２２】
ここで、一括した出力処理としては、ユーザが特定した複数のファイルを用紙に印刷してステープル処理を行ったり、複数のファイルを用紙に印刷して穴開け処理を行ったり、複数のファイルを所定の条件に従ってソートし、その順に並べ替えて出力したり、１枚の用紙に複数ページを同時に印刷するような機能（Ｎｕｐ機能）を施したりするものである。
【００２３】
ユーザが特定するファイルの対象は文書ファイルのほか、読み取った画像ファイルやファクシミリ受信したファイルなど、種々の形式に対応することができる。一括出力処理は、Data処理部１０４が処理コントロール部１００の指示で渡された複数のファイルの形式を判別し、各形式に対応して用紙出力やファイル転送といった出力形態に応じた形式に合わせて１つのジョブとして画像出力部１０５へ渡すようにしている。このため、画像処理装置１の記憶部２に格納された種々の形式から成るファイルについて、複数をまとめて一括出力処理できる。
【００２４】
次に、本実施形態の画像処理装置におけるユーザインタフェースの一例を説明する。図３、図４は、ユーザインタフェースの一例を示す模式図である。このうち図３は一括処理を行うための複数のファイルを選択するための画面遷移、図４は一括処理中の進捗状況を参照するための画面遷移を示している。以下の例では各画面が操作／表示部１０１のモニタに表示されるものとする。
【００２５】
先ず、図３に沿って一括処理を行うための複数のファイルの選択について説明する。先ず、ユーザがファイルの一覧表示を指示すると、図３（ａ）に示すように、記憶部内に格納されているファイルの一覧がリスト形式で表示される。画面は例えばタッチパネルによって画面内容に沿った選択指示を行うことができるようになっており、ここで例えばファイル番号「６」と「１２」を選択すると、図３（ｂ）に示すように選択したファイル番号「６」と「１２」に対応するリストが反転表示される。
【００２６】
次に、ユーザは、選択した複数のファイルに対する出力処理の指示を行う。ここでは印刷出力である「Ｐｒｉｎｔ」、ファクシミリ送信である「ＦＡＸ」、ネットワークを介したファイル転送である「転送」を選択できるようになっている。また、選択した複数のファイルに対する一括出力処理を行う場合に「統合する」を選択できるようにもなっている。
【００２７】
なお、ここでは「Ｐｒｉｎｔ」を選択する場合を例とする。この後の画面遷移は「統合する」を選択したか否かによって相違する。先ず、「統合する」を選択しなかった場合には、図３（ｃ）に示す画面へ移行する。この画面では、先に選択した複数のファイルのリストが表示され、各々のファイルに対する出力条件を設定できるようになっている。例えば、このリストからファイル番号「１２」をタッチパネル等で選択すると、このファイル番号「１２」のファイルに対応した出力条件を設定できる。一方、ファイル番号「６」をタッチパネル等で選択すると、このファイル番号「６」のファイルに対応した出力条件を設定できる。ユーザは、これらのファイルに対する各々の出力条件を設定した後、スタートボタン（図示せず）を押下することで、各々設定した出力条件にて各ファイルの印刷出力を行うことが可能となる。
【００２８】
なお、ここでは各々のファイルに対する出力条件を設定した後に印刷出力を開始する例を示したが、１つのファイルに対する出力条件を設定した後にスタートボタンを押下すればそのファイルの印刷出力が開始され、その処理を行っている間に他のファイルに対する出力条件を設定してスタートボタンを押下して、次のジョブを生成するようにしてもよい。
【００２９】
また、図３（ｃ）に示す画面には「統合する」のボタンが設けられており、図３（ｂ）に示す一つ前の画面で「統合する」を選択しなかった場合でも、後で「統合する」を選択できるようになっている。図３（ｂ）もしくは図３（ｃ）の画面で「統合する」を選択すると、図３（ｄ）の画面に移行する。
【００３０】
図３（ｄ）に示す画面では、先に選択した複数のファイルに対する同一の出力条件を設定できるようになっている。「統合する」を選択しているため、先に選択した全てのファイルに対するリスト表示が反転表示されており、この状態で出力条件を設定する。例えば、両面印刷を行うか否か、Ｎｕｐ機能を選択するか否か、ステープル処理を行うか否か等を設定することができる。出力条件を設定した後、スタートボタンを押下することで複数のファイルに対する一括出力処理が実行される。
【００３１】
この例では、出力条件として、両面印刷する、Ｎｕｐ機能なし、ステープル処理あり（右上）を選択しているため、ファイル番号「６」と「１２」のファイルをまとめて各ページ毎、用紙に両面印刷し、用紙の右上をステープルで止めて出力するようになっている。
【００３２】
なお、図３（ｄ）に示す画面には「統合しない」のボタンが設けられており、図３（ｂ）に示す一つ前の画面で「統合する」を選択した場合でも、後で「統合しない」を選択できるようになっている。図３（ｄ）の画面で「統合しない」を選択すると、図３（ｂ）の画面に移行し、先に説明した個別の出力条件の設定を行うことができるようになる。
【００３３】
次に、図４に沿って一括処理中の進捗状況を参照する場合を説明する。先ず、ユーザがジョブ一覧の指示を行うと、図４（ａ）に示すように現在受け付けているジョブの一覧がリスト形式で表示される。このリストには、各ジョブの進捗状況や宛先／内容、ページ数等が表示される。このうち、宛先／内容が「統合文書」となっているものが一括出力処理を行うジョブである。
【００３４】
この画面からユーザが「統合文書」となっているリストを選択し、「詳細」ボタンをタッチパネル等で選択すると、図４（ｂ）に示すように、統合文書のジョブにおける統合されたファイルの一覧がリスト表示される。このファイルの一覧には、図３においてユーザが選択した複数のファイルのリストが表示される。また、このリストには、そのファイルに対する出力処理の進捗状況も表示される。例えば、ファイル番号「６」のファイルについては現在プリント中であり、ファイル番号「１２」のファイルについては現在プリント待ちであることが表示される。また、現在プリント中のファイルについては、ページ数として処理済みのページ数／そのファイルの総ページ数が表示される。
【００３５】
この画面からユーザが例えば「プリント中」のジョブのリスト（ファイル番号「６」）を選択し、「詳細」ボタンをタッチパネル等で選択すると、図４（ｃ）に示す画面へ移行する。図４（ｃ）の画面では、現在プリント中であるファイル番号「６」に関する詳細情報が表示される。また、統合したファイル全体に対する現在の処理済みのページ数およびファイル番号「６」のファイルにおける処理済みのページ数も表示される。
【００３６】
このファイルに対するプリント処理が終了すると、図４（ｄ）に示す画面へ移行する。この画面では、現在プリント中となるファイル番号「１２」に関する詳細情報が表示される。また、上記と同様に、統合したファイル全体に対する現在の処理済みのページ数およびファイル番号「１２」のファイルにおける処理済みのページ数も表示される。
【００３７】
これらプリント中のジョブの詳細を示す画面では、「ストップ」のボタンが用意されており、この「ストップ」ボタンを選択すると一括出力処理の全体を中止することができる。
【００３８】
一方、図４（ｂ）に示す画面でユーザが「プリント待ち」のジョブのリスト（ファイル番号「１２」）を選択し、「詳細」ボタンをタッチパネル等で選択すると、図４（ｅ）に示す画面へ移行する。図４（ｅ）の画面では、現在プリント待ちとなっているファイル番号「１２」に関する詳細情報が表示される。また、統合したファイル全体に対する現在の処理済みのページ数およびファイル番号「１２」のファイルにおける処理済みのページ数（ここではプリント待ちのため、０ページとなる）も表示される。なお、この画面には「中止」のボタンが用意されており、この「中止」ボタンをタッチパネル等で選択すると、プリント待ちとなっているファイル番号「１２」のプリント処理のみ中止できるようになる。
【００３９】
ここで、先行のジョブが終了し、「プリント待ち」となっていたファイル番号「１２」のファイルに対するプリントが開始されると、図４（ｄ）に示す画面もしくは図４（ｆ）に示す画面へ移行する。いずれの画面に移行するかはシステム側で設定可能である。図４（ｆ）に示す画面では、統合された複数のファイルがリスト表示されるが、既にプリント処理が完了したファイルについてはグレー表示のように処理完了が分かるような表示になっている。
【００４０】
このような画面遷移によって、ユーザは統合した複数のファイルに対する一括出力処理の進捗状況を参照できるとともに、個々のファイルに対する進捗状況も参照できるようになる。また、画面表示に従い、統合を行う複数のファイルの選択や、選択した複数のファイルの統合を行うか否かの切り替えを行うことができ、ユーザの使い勝手を向上できるようになる。
【実施例】
【００４１】
上記説明した画像処理装置の動作のほか、蓄積動作として以下の動作が考えられる。
・ネットワーク接続された外部端末装置からのセキュリティプリント受信。
・ネットワーク接続された外部端末装置からの確認プリント受信。
・ネットワーク接続された外部端末装置からの時刻指定プリント受信。
・ネットワーク接続された外部端末装置からの親展ボックス蓄積受信。
・公衆回線接続された外部通信装置（ファクシミリ装置）からの親展ファクス受信。
・外部通信装置への送信のための、ポーリング蓄積。
・外部通信装置への送信のための、親展ポーリング蓄積。
・画像処理装置の画像読み取り部１１で読み込む、親展ボックススキャン。
【００４２】
画像処理装置内の蓄積ファイルの管理方法として、次の管理方法が考えられる。
・ユーザIDやパスワードなどの認証管理による、セキュリティボックス／親展ボックスでの管理。
・ポーリング予約ファイルを格納するポーリングボックスでの管理。
【００４３】
文書の選択方法として、次の方法が考えられる。
・ボックス内ファイルの全ファイルを選択する方法。
・ボックス内ファイルの任意のファイルを選択する方法。
【００４４】
ファイルの統合状態を判別する手段として、次の手段が考えられる。
・ファイル種別表記を「個別ファイル（文書）」（プリント、ファクスなど）と「統合ファイル（文書）」とに分ける。
・アイコンによって個別ファイル（文書）と統合ファイル（文書）とを区別する。
【００４５】
ユーザインタフェースとして次の種別が考えられる。
・画像処理装置本体のパネルに表示するユーザインタフェース。
・ネットワーク上に接続されたパーソナルコンピュータ等の外部端末装置におけるモニタに表示するユーザインタフェース。
【００４６】
処理コントロール部１００は次の種別が考えられる。
・画像処理装置本体に組み込まれたもの。
・ネットワーク上に接続されたパーソナルコンピュータ等の外部端末装置に組み込まれたもの。
【００４７】
選択ファイルの出力条件として、次のものが考えられる。
・選択されたファイル全体に対する両面印刷指定。
・選択されたファイル全体に対するソート印刷指定。
・選択されたファイル全体に対するステープル指定。
・選択されたファイル全体に対する穴開け指定。
・選択されたファイル全体に対する印刷／送信／転送、カラーモード指定。
・選択されたファイル全体に対する送信／転送、解像度指定。
・選択された個々のファイルに対する両面印刷指定。
・選択された個々のファイルに対するソート印刷指定。
・選択された個々のファイルに対するステープル指定。
・選択された個々のファイルに対する穴開け指定。
・選択された個々のファイルに対する印刷／送信／転送、カラーモード指定。
・選択された個々のファイルに対する送信／転送、解像度指定。
【００４８】
任意ジョブの状態を表示する手段として、次の手段が考えられる。
・複数ジョブを一覧表示する。
・特定ジョブを表示する。
【００４９】
出力処理の進捗状況を提示する手段として、次の手段が考えられる。
・任意ジョブの状態を表示しているオブジェクトから、任意の操作によって詳細情報画面を表示し、詳細画面に進捗状況を表示する。
・任意ジョブの状態を表示しているオブジェクトにおいて、処理進捗に応じて表示画面を変化させる。
【００５０】
処理進捗に応じた画面変化の種類として、次の変化が考えられる。
・任意ジョブを表示しているオブジェクトの色を変化させる。
・任意ジョブを表示しているオブジェクトの色着け面積を変化させる。
・任意ジョブを表示しているオブジェクトの形を変化させる。
・任意ジョブを表示しているオブジェクト内の表記（数字など）を変化させる。
【００５１】
出力処理の詳細画面の表示方法として、次の方法が考えられる。
・ジョブ一覧画面に統合文書として表示されているジョブに詳細表示を指示すると、個々のジョブの一覧が表示される。
・ジョブ一覧画面に統合文書として表示されているジョブに詳細表示を指示すると、現在処理中文書の詳細が表示され、処理が終了すると次の文書の情報に自動的に切り替わる。
【００５２】
出力処理状態の進捗状況表示内容として、次の内容が考えられる。
・統合ファイル全体の文書ページ数の表示。
・統合ファイル全体ページにおける、処理進捗の表示。
・統合ファイルのファイル数の表示。
・統合ファイルのファイル数における、処理進捗の表示。
【００５３】
出力処理中のファイルに対する操作手順として、次の手順が考えられる。
・統合ファイルとして表示されているジョブに対してキャンセルを指示すると、統合ファイル全体の処理がキャンセルされる。
・統合ファイル内の個々のファイルの情報を表示している状態でキャンセルを指示すると、統合ファイル自体の処理は継続されるが、操作されたファイルの処理のみキャンセルされる。
【図面の簡単な説明】
【００５４】
【図１】本実施形態に係る画像処理装置のシステム構成を説明する模式図である。
【図２】画像処理装置のシステム構成図である。
【図３】ユーザインタフェースの一例を示す模式図（その１）である。
【図４】ユーザインタフェースの一例を示す模式図（その２）である。
【符号の説明】
【００５５】
１…画像処理装置、１１…画像読み取り部、１２…記憶部、１３…画像形成部、１４…操作部、１００…処理コントロール部、１０１…操作／表示部、１０２…画像入力部、１０３…Data保持部、１０４…Data処理部、１０５…画像出力部、Ｎ…ネットワーク、Ｓ…公衆回線
【図１】
2005341343.tif 000003
【図２】
2005341343.tif 000004
【図３】
2005341343.tif 000005
【図４】
2005341343.tif 000006